Podtech/llm-jp-corpus-v4-ja_patent huggingface dataset:
(57)【要約】【課題】傘カバー自体は市場に多く存在するものの、濡れた後の持ち運びが不便であり、なおかつ適当な収納ケースがなかったため、持ち歩く者は極めて少ないのが実情であった。よって、雨降り時の満員電車内等において濡れたままの傘を保持することになり、自分あるいは他人の衣服を濡らす結果となっていた。【解決手段】「巻き尺」の技術を利用することにより、傘カバー非使用時には傘カバー本体をケース内に丸まった形で収納することができ、使用時には引き出して使用し、使用終了時にはバネ等の作用により自動的にケースに収納することができる。それゆえ本傘カバーは、キーホルダー等で傘、バック等に装着する等し、容易に持ち歩くことが可能となる。【選択図】  図２
2005000610.tif 000002
【特許請求の範囲】
【請求項１】
「巻き尺」の原理を利用した、収納ケース付き傘カバー
【発明の詳細な説明】
【０００１】
【発明の属する技術分野】
この発明は、収納ケース付き傘カバーに関するものである。
【０００２】
【従来の技術】
従来の傘カバーは、特にぬれた後の持ち運びが不便であり、なおかつ、適当な収納ケースがなかったため、十分に普及するには至らなかった。
【０００３】
【発明が解決しようとする課題】
それゆえ、傘カバー自体は市場に存在するものの、保有して持ち歩く者は極めて少ないのが実情であった。よって、雨降り時の満員電車内等において濡れたままの傘を保持することになり、自分あるいは他人の衣服を濡らす結果となっていた。
【０００４】
【課題を解決するための手段】
以上の課題を解決するために、請求項１の発明は、「巻き尺」の技術を利用することにより、傘カバー非使用時には傘カバー本体をケース内に収納することができ、使用時には引き出して使用し、使用終了時にはバネ等の作用により自動的にケースに収納することができるようにしたものである。それゆえ本傘カバーは、キーホルダー等で傘、バック等に装着する等し、容易に持ち歩くことが可能となる。
【０００５】
【発明の実施の形態】
この発明の一実施形態を、図１に示す。ケースはプラスチック、金属等の素材で作成されており、巻き尺と同様の原理により内部に傘カバーを収納している。本ケースは、傘カバーを十分に引き出すことによってストッパーがかかる仕組みとなっている。収納する場合は収納用スイッチでストッパーを解除するか、もしくは傘カバーをさらに引き出すことでストッパーを解除し、バネ等の作用により収納ケースに自動的に収納する。なお必要であれば、傘の差し込み口はベルクロ等で閉じるものとする。また、傘カバーの引き出し口は図のような直線形でも、あるいは“Ｕの字”形等でもよい。
【０００６】
【発明の効果】
本発明は、傘カバーを容易にケースに収納、使用することを可能とし、なおかつキーホルダー等で傘、バック等に装着すること等により、気軽に持ち歩くことを可能とする。
【０００７】
それにより、雨降り時の満員電車内等においても濡れた傘に容易にカバーをすることができ、自分あるいは他人の服を濡らさずにすむことが可能となる。
【図面の簡単な説明】
【図１】本考案の一実施形態を示す斜視図（収納時）である。
【図２】本考案の一実施形態を示す斜視図（傘カバー引き出し時）である。
【符号の説明】
１  ケース本体
２  収納用スイッチ
３  傘カバー
４  傘カバー引き出し口
５  傘差し込み口
【図１】
2005000610.tif 000003
【図２】
2005000610.tif 000004
(57)【要約】      （修正有）【課題】既存ベッドを使用したまま、ベッド用背もたれを付け足すことで、使用者の快適性の向上と経済的負担の低減を目的としたベッド用背もたれを提供する。【解決手段】背もたれ部材１は、クッション性を有し、既存ヘッドボードとの接触を避けるために円弧状の形態とする。また、就寝時には快適性を損なうことのないよう背もたれ部材は壁面に収納する。【選択図】図１
2005000605.tif 000002
【特許請求の範囲】
【請求項１】
ベッド用の背もたれであって、既存のベッドに合せて設置できることを特徴とするベッド用背もたれ。
【請求項２】
ベッド用の背もたれであって、既存のベッドに合せて位置を調整できることを特徴とするベッド用背もたれ。
【請求項３】
ベッド用の背もたれであって、既存のベッドに合せて設置する際、既存ベッドに負担をかけないことを特徴とするベッド用背もたれ。
【請求項４】
ベッド用の背もたれであって、就寝時には壁面に収納し就寝の妨げにならないことを特徴とするベッド用背もたれ。
【発明の詳細な説明】
【０００１】
【発明の属する技術分野】本発明は、ベッド用のせもたれに関する。更に詳しくは、例えばホテルのような既にベッドが設置されている場所で、既存ベッドに背もたれが付属していないような場合、容易に背もたれ部分だけの後付けを可能にし、経済的負担を軽減できる他、快適性を増進させることができるベッド用の背もたれに関する。
【０００２】
【従来技術】一般にベッドにはヘッドボードが付属している場合が多いが、垂直の板状であったり、スイッチ類の付いた大型のものがほとんどである。中には快適性のあるクッション入り背もたれが付属しているものもあるが、高価であり数も少なかった。背もたれの付属していないベッドを購入してしまうと、後日背もたれ付きのベッドに変えたくなった場合には新たに購入し直すしか方法がなく、経済的負担が大きかった。
【０００３】
【発明が解決しようとする課題】上に記したような従来型の背もたれの無いタイプのベッドをそのまま使用しながら、経済的負担を抑え、快適な寝具としての魅力を増進させることが重要な課題となっている。
【０００４】（発明の目的）そこで本発明の目的は、例えばホテルのような既にベッドは設置されているが、快適性のある背もたれが付いていないような場合でも、安価で設置できる背もたれを提供することにある。
【０００５】
【課題を解決するための手段】上記目的を達成するために講じた本発明の手段は次のとおりである。第１の発明にあっては、ベッド用の背もたれであって、既存ベッドに後から設置することを特徴とするベッド用背もたれである。
【０００６】第２の発明にあっては、既存ヘッドボードの形状に合せて上下にスライドすることを特徴とする、第１の発明に係るベッド用背もたれである。
【０００７】第３の発明にあっては、背もたれの形状を曲線とし、既存ヘッドボードに過大な力をかけず、仮にぶつかった場合でも背面のゴム系クッション材によって衝撃を和らげることができることを特徴とする、第１または第２の発明に係るベッド用背もたれである。
【０００８】
【請求１】ベッド用の背もたれであって、就寝時は壁面に収納できることを特徴とする背もたれである。
【０００９】既存ヘッドボードの形状に、背もたれを合せる手段としては、背もたれ本体を円弧状に成形し、その頂部に配した円柱状の軸を上下に移動調整することにより、高さや奥行きの変化に対応させるものである。
【００１０】背もたれ本体を上下に移動させる手段としては、ベッド本体の直後にある壁面に、コの字型の断面形状をしたガイドを２本向かい合わせで固定し、その内法部分を背もたれ本体頂部の軸を水平に上下させるものである。
【００１１】
【発明の実施の形態】本発明の実施の形態を図面に基づき更に詳細に説明する。
図１は、本発明に係るベッド用背もたれの一実施の形態を示す説明図、図２は本発明に係るベッド用背もたれの一実施形態を示しており、背もたれを裏側から見た斜視説明図、図３は、ガイド部と背もたれ本体を側面から見た拡大断面図である。ベッド用背もたれは背もたれ本体１とガイド部２を有しており、背もたれ本体１とガイド部２は別体に形成され、ガイド部は２本１組で構成されている。
【００１２】図１を参照して、本実施の形態に係る背もたれ本体１及びガイド部２のそれぞれの採り付け構造を説明する。まず、ガイド部２を壁面Ｈに背もたれ１に合う巾と位置に、既存ヘッドボードとの間に下棒受け金具３が設置できる程度の距離を離してビスで固定し、その下に下棒受け金具３をビスで固定する。
【００１３】
次にガイド２の上部より背もたれ本体１の上棒４を水平に落とし込む。背もたれとして使用する場合はそのまま下棒５を既存ベッドのマットレス７に乗る位置まで下げる。背もたれとして使用しない場合は、下棒５を下棒受け金具３に乗せ収納状態とする。
【００１４】（作用）本実施の形態に係るベッド用背もたれ１を、例えばホテル等の客室に設置された既存ベッドに取り付けた場合の作用について説明する。レジャー、ビジネス等その目的に係らずホテルの客室内に入った場合、室内に設置されたベッドの使用方法は様々である。一般的には寝る、腰掛ける等の使い方があるが、ベッドに腰掛けながらテレビを見たり本を読んだりする場合等には、リラックスするための背もたれがある方がより快適である。ホテルは基本的に客を宿泊させるための施設であるため、客室内備品の専有面積の大半がベッドで占められており、よってベッドを中心に什器備品が備えてある。そのベッドによりリラックス可能な背もたれがあれば、室内の快適度は格段に向上する。
【００１５】
【発明の効果】本発明は上記構成を備え、次の効果を有する。
（ａ）本発明に係るベッド用背もたれは、現在背もたれのないベッドを使用しているホテル等において、このベッド用背もたれを使用することにより、背もたれ部材にもたれながらテレビ等を見ることができ、リラックスした状態で快適に過ごすことが可能となる。したがって、例えば経済的余裕の少ないホテル等のベッドに使用すれば、新品と交換する必要が無く経済的であり、客の感ずる快適性も向上する。
【００１６】（ｂ）背もたれ部材はクッション性を有しているため、ソファー等のようにゆったりとベッドに座ってくつろぐことができる。
【００１７】（ｃ）背もたれ部材は就寝時には壁面に収納できるため、就寝時に快適性を損なうことはない。
【図面の簡単な説明】
【図１】本発明に係るベッド用背もたれの一実施の形態を示す説明図。
【図２】本発明に係るベッド用背もたれを裏側から見た斜視説明図。
【図３】ガイド部と背もたれ本体を側面から見た拡大断面図。
【符号の説明】
１    背もたれ部材
２    ガイド部
３    下棒受け金具
４    上棒
５    下棒
【図１】
2005000605.tif 000003
【図２】
2005000605.tif 000004
【図３】
2005000605.tif 000005
(57)【要約】【課題】クリーナー面が露呈せずに見栄えが良いとともに、クリーナー面が汚れることのない、意匠性、実用性ともに優れる携帯電話機等に好適に使用されるクリーナー装置を提供する。【解決手段】クリーナー面６が形成されたプレート体２と、プレート体２に連結される取り付け用紐体３と、プレート体２を覆うように装着され、クリーナー面６が使用される際にはプレート体２から離脱できるカバー体４とからなるクリーナー装置。【選択図】  図２
2005000609.tif 000002
【特許請求の範囲】
【請求項１】
クリーナー面が形成されたプレート体と、
前記プレート体に連結される取り付け用の紐体と、
前記プレート体を覆うように装着され、前記クリーナー面が使用される際には前記プレート体から離脱できるカバー体と、
からなることを特徴とするクリーナー装置。
【請求項２】
前記プレート体の前記クリーナー面が形成された面と逆面に、鏡面が形成されたことを特徴とする請求項１記載のクリーナー装置。
【発明の詳細な説明】
【０００１】
【発明の属する技術分野】
この発明は、携帯電話機の表示画面等を拭くように用いられるクリーナー装置に関する。
【０００２】
【従来の技術】
最近携帯電話機のストラップ部分に携帯電話機の表示画面を拭くための布状のクリーナーを取り付けたものがある。
【０００３】
【発明が解決しようとする課題】
しかしながら、上記構成のものではそのクリーナー面が露呈しているので見栄えが悪いとともに、クリーナー面に汚れが付く場合があり、汚れが付いたクリーナー面では表示画面をきれいに拭くことができない問題点があった。
【０００４】
この発明では、クリーナー面が露呈せずに見栄えが良いとともに、クリーナー面が汚れることのない、意匠性、実用性ともに優れるクリーナー装置を提供することを目的とする。
【０００５】
【課題を解決するための手段】
この発明では、クリーナー面が形成されたプレート体と、前記プレート体に連結される取り付け用の紐体と、前記プレート体を覆うように装着され、前記クリーナー面が使用される際には前記プレート体から離脱できるカバー体とからなるクリーナー装置を提供する。
【０００６】
上記構成によれば、常時はカバー体によりクリーナー面が覆われていることで見栄えが良く、とくにカバー体面にデザイン模様を付設する等により意匠性が高められる。また、クリーナー面が常時はカバー体に覆われていて汚れることが少ないので、携帯電話機表示面を常にきれいに拭くことができる。
【０００７】
さらに、プレート体のクリーナー面が形成された面と逆面に鏡面が形成された構成とされることでクリーナー面の逆面が有効に利用でき、その鏡面が化粧直し等に使用できることで実用性が高い装置が得られる。
【０００８】
【発明の実施の形態】
図１はこの発明のクリーナー装置の正面図、図２は断面図、図３はカバー体を外した状態の正面図、図４はカバー体を外した状態の背面図である。クリーナー装置１は、プレート体２と、そのプレート体２の上部に連結されるストラップである取り付け用の紐体３と、プレート体２に装着されるカバー体４とからなる。プレート体２は円形で、上部に一体に凸設された連結部５に紐体３が連結されており、その一方面は布製のクリーナー６面とされ、他方面は鏡面７とされている。クリーナー６面の下層にはスポンジ層９が設けられ、このスポンジ層９の存在によりクリーナー面６は弾力的に膨らんだ面となっている。鏡面７は樹脂プレート１０面に蒸着により形成されている。
【０００９】
上記プレート体２は、金型台上に鏡面７が形成された樹脂プレート１０、スポンジ層９を形成するスポンジ体、さらにクリーナー６面を形成する布体を積層状態に配置し、その上方から当て付けた金型にホーンにより超音波振動を加えることにより製造する。超音波振動加工により樹脂プレート１０、スポンジ体を溶かすことで三体の周縁を固着し、金型の裁断機能によりその周縁位置で裁断することで所定形状のプレート体２が得られる。このようにして、一方面をクリーナー面６、他方面を鏡面７とするプレート体２を一工程において製造容易、かつ、安価に得ている。
【００１０】
カバー体４は二枚の樹脂シートが重ね合わされた袋形状で、上部と下部とに開放部１２、１３を備え、上部の開放部１２からプレート体２の取り付け部５が突出し、下部の開放部１３から裏面側においてプレート体２の鏡面７下部が露呈する。カバー体４の表側面には意匠性を高めるようにデザイン模様１５が付設されている。
【００１１】
クリーナー面６もしくは鏡面７の使用時には、カバー体４を紐体３に沿うように上方に移動させプレート体２をカバー体４内から出す。その際カバー体４が紐体３に挿通係止されているので離脱することがなく、そのカバー体４を別途保管しておく手間が省けるようにしている。
【００１２】
【発明の効果】
この発明によれば、クリーナー面が露呈せずに見栄えが良いとともに、クリーナー面が汚れることのない、意匠性、実用性ともに優れる携帯電話機等に好適なクリーナー装置が得られる。
【図面の簡単な説明】
【図１】この発明のクリーナー装置の正面図
【図２】この発明のクリーナー装置の断面図
【図３】この発明のクリーナー装置のカバー体を外した状態の正面図
【図４】この発明のクリーナー装置のカバー体を外した状態の背面図
【符号の説明】
１  クリーナー装置
２  プレート体
３  紐体
４  カバー体
６  クリーナー面
７  鏡面
【図１】
2005000609.tif 000003
【図２】
2005000609.tif 000004
【図３】
2005000609.tif 000005
【図４】
2005000609.tif 000006
(57)【要約】【課題】薬剤等を血管及び皮下に注射するにことに対し痛みを最小限に抑えることを目的とした薬剤注入装置。【解決手段】一本の金属から構成されている線材の周囲電鋳により金属を堆積させて棒状の電鋳体を形成し、上記線材を、上記電鋳体から引き抜くことにより出来た注射針の要部の内径が０．１１ｍｍ〜０．１３ｍｍ、外径が０．１５５ｍｍ〜０．２２０ｍｍの形状を有する少痛針である。【選択図】  図４
2005000611.tif 000002
【特許請求の範囲】
【請求項１】
一本の金属から構成されている線材の周囲電鋳により金属を堆積させて棒状の電鋳体を形成し、上記線材を、上記電鋳体から引き抜くことにより出来た注射針の要部の内径が０．１１ｍｍ〜０．１３ｍｍ、外径が０．１５５ｍｍ〜０．２２０ｍｍの形状を有する少痛針である。
【請求項２】
請求項１に記載の構成から成り立つ少痛針の針の要部３からリミッター４に対しての形状が太くなっていることにより体内に押し入れる、針の要部３の長さに制限される
【発明の詳細な説明】
【０００１】
【発明の属する技術分野】
一本の金属から構成される線材の周囲電鋳により金属を堆積させて棒状の電鋳体を形成し、上記線材を、上記電鋳体から引き抜くことにより出来た少痛針を体内に注射するに対し針の要部３からリミッター４の針の外径が（Ａ−Ａ拡大断面図）で記すが如く太くなっているために注射針の体内への挿入を制限することができる。
【０００２】
【発明が解決しようとする課題】
従来の注射針の外径が太い為に痛みも多かった。
【０００３】
【課題を解決するための手段】
本発明において、針先６から針の要部３までの体内に入る部分の外径を０．２２ｍｍまで細くすることにより皮膚神経を傷つけることを最小限に抑えることが出来る。
【０００４】
【実施例】
少痛針を使用しての血管及び皮下注射するに対しての本発明の技術的な要点を実施例をもって説明します。  少痛針の請求項１での記載の如くの構成を本概要定義と位置付け、注射器本体１に薬剤を入れポンプ８をもって体内に薬剤を投入するにおいてハブ２からリミッター４、針の要部３にいくに従い針の形状が細くなっているため薬剤に対しての圧力が高くなることに比例して針先６から薬剤が体内に投入される圧出率が高くなり注射が容易に出来る。
【図面の簡単な説明】
【図１】本発明の注射器本体の平面図。
【図２】本発明注射針本体の正面図である。
【図３】本発明のＡ−Ａ拡大断面図
【図４】本発明の実施例である。
【符号の説明】
１  注射器本体
２  ハブ
３  針の要部
４  リミッター
５  皮膚
６  針先
７  皮膚の接融点
８  ポンプ
【図１】
2005000611.tif 000003
【図２】
2005000611.tif 000004
【図３】
2005000611.tif 000005
【図４】
2005000611.tif 000006
(57)【要約】【課題】近年、グルメ志向で欧風化した食生活、飽食、車社会になり足で歩くことが少なく、運動不足から肥満の人が多く見られ又、肥満の人ほど動くのが苦しく、悪循環を続けるうちに糖尿病・糖尿病予備群まで進む等の問題点があった。【解決手段】屋内・全候型で、スポーツセンターへ出かける必要もなく、費用も軽く、家でテレビを見ながら、腹・背筋を鍛え、一台で、二つ（指圧・揉む）の作動が出でき、腸の蠕動運動を活性化し、便秘の改善や肥満から起こす消化器系の各種の異状・病気を早期に発見又は、予防する効果があり、日常の健康管理に役立つものである。尚、医療機関でリハビリの機能回復等に用いる場合は、医師・訓練士の監督の下、特に、時間の短縮・制限等を配慮して行うものとする。【解決手段】【選択図】          図１
2005000619.tif 000002
【特許請求の範囲】
【請求項１】
本発明においては、金属・木質・合成樹脂・布・皮革等を用い、１．クッション型・筺体の形状で、上板・側壁・底板からなり、伏臥に用いる際、体重の特に肥満者の荷重に耐える強固な材質を用いる必要があり、マッサージ・ボールやヒーター、モーター、タイマー等の電子機器を内蔵し、相当の重量を持った本体の両脇には持ち運び用の取っ手を設けたもので、２．本体・底板の周辺に環状溝を設け、相当の重量の、五個乃至六個の重いマッサージ・ボールを配置、マッサージ・ボール運進のための通路には布・皮革を張り付ける仕様とし、仰臥に用いる場合（腹部に載せて用いる）はマッサージ・ボールが人体腹部を押圧・マッサージ、回転は環状溝、布・皮革張りの上を、反時計回り（逆回転防止機能付き）とし、３．伏臥して用いるには、本体を逆さにして床に敷き（人体を腹這いに載せる）この際、スイッチで反時計回りに切り替える（逆回転防止機能付き）仕様とした健康機器である。１  ２  ３  以上の組合せ構成からなる仰臥・伏臥用腹部マッサージ器。
【発明の詳細な説明】
【０００１】
【発明の属する技術分野】
本発明の原点は、かって、平成初期、胃・腸の蠕動運動を活性化させるための健康機器で、意匠並びに実用新案出願、審判まで進めた「伏臥用補助具」の改訂版としての本件出願である。家庭にあって日常、簡単に用いることのできる、木製又は、金属・合成樹脂製筐体、内部には消化器系、冷え症等の人のマッサージ効果と押圧（指圧効果）の為、重量を重く、マッサージローラー・ヒーター・駆動モーター・制御機等内臓、冷え症・便秘等の改善の為の、家庭用健康機器として、又、使用範囲を広げ、医療のリハビリ等への機能回復訓練用機器として、用いることも可能とする。
【０００２】
【従来の技術】
従来、健康機器に関するものは、多く市販されているが、身体の自重で押圧（指圧効果）と腹部のマッサージに関する機器としてはは市場に認知された物件は、寡聞にして未だ発見出来ないものである。
【０００３】
【発明の解決しようとする課題】
現代の社会生活は、何となく仕事・レジャーに慌ただしく、多忙な人が多いようである。「スロー」な生き方を等と識者が呼びかける程の時世でもある。反動でストレスも多いと思われる。食生活にも乱れが多く、塩分・脂肪分の多い外食や、朝食を抜いたり、朝昼の二食分を一度に食べたり、或いは、何となく欲求不満からの過食等、ついには肥満になり、糖尿病や糖尿病の予備軍になるのである。生活習慣病にならないためにも健康管理が必要である。現代は車社会で、歩くことが少なく運動不足・栄養のアンバランスや、冷え性・便秘等主に消化器系が関係しておりそれが原疾となって重大な事態をもひき起こし兼ねないのである。
【０００４】
肥満や、冷え性・便秘等を治すためにスポーツでと、スイミング教室や、ジム・ジョギングをしたり、ダイエット・薬事療法・温泉浴等様々なことを試みたり健康への志向は強く感じられるものの、なかなか結果が出せない人が多い。
【０００５】
【課題を解決するための手段】
本発明においては、市販の健康機器、肩や腰を揉んだり、バイブレーターで血液の循環を良くしたり、温める、ウォーキング・マシンで足を鍛えたり、そのようなものの一つとしての健康機器で、腹ばって（伏臥）テレビを見ながら又は、仰臥の姿勢で本体をお腹の上に載せるだけで、本体それ自体の重さと内蔵した数個の重いマッサージボール左へ一定方向、腸管内容物の流れに添って（逆回転防止機能付き）動き出すことで、まさに、掌でお腹（腸）をマッサージするが如く又、本体の重さにより仰臥したままお腹を（押圧・指圧効果）（揉むマッサージ効果）の相乗効果が得られる。医療機関等でのリハビリに用いる場合は、医師及び訓練士の監督の元、特に使用時間を短くするなど、考慮して行うものとする。
【０００６】
【発明の実施の形態】
本発明は、仰臥又は伏臥して、腸の部分の広い範囲を右から左へ反時計回りに必ず一定方向へ回るマッサージ機能を作動させる特徴を有し、仰臥・特に伏臥時の機器本体への荷重を考慮して木・金属・合成樹脂の上板と底板、側壁、電子部品からなる強固な重量のあるクッション型の筐体であり、本体内には、五・六個の重いボールが間隔をおいて配置され、反時計回りに回る（伏臥用として用いる際は本体を逆さにして床に置き、反時計回りのスイッチを切り替える）仕様とした仰臥・伏臥用腹部マッサージ器。
【０００７】
【発明の効果】
屋内・全候型で、スポーツセンターへ出かけることもなく、費用も軽く、でテレビを見ながら、腹筋を鍛え、一台で、二つ（指圧・揉む）の作動が出き、腸の蠕動運動を活性化し、便秘の改善や肥満から起こす消化器系の各種異状・病気を早期に発見又は、予防する効果があり、日常の健康管理に役立ものである。医療機関でリハビリの機能回復等に用いる場合は、医師、訓練の監督の下、特に、時間の短縮・制限等を配慮して行うものとする。
【図面の簡単な説明】
【図１】臥臥・伏臥用腹部マッサージ器の平面図である。
【図２】仰臥・伏臥用腹部マッサージ器の正面図である。
【符号の説明】
１  筐体
２  取っ手
３  コンセント差込他表示版
４  マッサージローラーの器外下垂部
【図１】
2005000619.tif 000003
【図２】
2005000619.tif 000004
(57)【要約】      （修正有）【課題】折り畳みできる安価な車椅子用天蓋の提供。【解決手段】車椅子の背当てに左右一対の支柱６を取り付け、左右の支柱を互いにＸリンク１３で連結し、支柱の上端部に天蓋フレーム１０を枢着し、左右天蓋フレームの間にロックできる折れリンク１５を設け、天蓋フレームとＸリンク下部の褶動部材１９を支持棒１７で連結し、天蓋フレームを防水布７で覆い、使用状態の時には折れリンクをロックして天蓋を広げ、天蓋を取り外して折り畳む時には、１本の棒状にコンパクトに折り畳むことができるように構成された車椅子の天蓋。【選択図】        図１
2005000615.tif 000002
【特許請求の範囲】
【請求項１】
車椅子の左右のフレームに、取り付け金具で着脱できるように保持された左右一対の支柱を設け、それぞれの支柱の上端部に天蓋フレームを枢着し、左右の支柱の上部の対応する位置と、左右の支柱の下部に設けた褶動部材との間を、中央で互いに連結したＸリンクで連結し、支柱下部の褶動部材と天蓋フレームの間を支持棒で連結し、天蓋フレームの前部に、死点を超えてロックできる折れリンクを設けて左右の天蓋フレームを連結し、天蓋フレームを防水布などで覆い、天蓋を使用する時には、Ｘリンクを広げるとともに、折れリンクを伸ばした状態でロックさせて天蓋を広げ、防水布の左右下端を車椅子の取り付け金具に固定して、天蓋が外れるのを防ぎ、天蓋を使用しない時には、取り付け金具から天蓋を取り外し、折れリンクおよびＸリンクを折り畳むことによって、天蓋をコンパクトに折り畳むことができるように構成された車椅子用天蓋。
【発明の詳細な説明】
【０００１】
【産業上の利用分野】
この発明は、障害者、高齢者のための車椅子用の折り畳み式天蓋に関する。
【０００２】
【従来の技術】
従来の車椅子には、雨避けあるいは日除けのための安価な天蓋がなく、使用者は強い日差しや雨を防ぐために、帽子か傘あるいは合羽などを用いることが多く、不便かつ危険であった。
【０００３】
【発明が解決しようとする課題】
天蓋を使用しない時は、取り外した天蓋を最もコンパクトに折り畳むことができ、天蓋を使用する時には、天蓋が広がった状態で車椅子に固定することができること、ならびに多様な寸法を持つ車椅子に対して、天蓋を安価に提供できることが課題であった。
【０００４】
【課題を解決するための手段】
車椅子の左右のフレームに、取り付け金具で着脱できるように保持された左右一対の支柱を設け、それぞれの支柱の上端部に天蓋フレームを枢着し、左右の支柱の上部の対応する位置と、左右の支柱の下部に設けた褶動部材との間を、中央で互いに連結したＸリンクで連結し、支柱下部の褶動部材と天蓋フレームの間を支持棒で連結し、天蓋フレームの前部に、死点を超えてロックできる折れリンクを設けて左右の天蓋フレームを連結する。
【０００５】
Ｘリンクおよび折れリンクを広げると、左右の支柱は平行状態のまま拡がり、連動して天蓋フレームが支柱に対してほぼ直角に回転して拡がる。この状態で折れリンクをロックし、車椅子の取り付け金具に支柱を取り付け、防水布を天蓋フレームにかぶせ、防水布の左右下端を車椅子の取り付け金具に固定することによって、天蓋が風などで外れることなく、車椅子に安定して固定される。
【０００６】
天蓋を使用しない時には、取り付け金具から支柱および防水布を取り外し、折れリンクおよびＸリンクを折り畳むことによって、天蓋フレームが連動して支柱と平行になるように折り畳まれ、天蓋全体をコンパクトに折り畳むことができる。
【０００７】
【実施例】
以下、本発明の具体的な実施例について、図面に沿って詳述する。
図１は、本発明の天蓋の使用状態における斜視図である。
図２は、本発明の天蓋の折り畳み状態における斜視図である。
【０００８】
車椅子１の、背当てフレーム２には取付け金具３が取り付けられ、これに支持金具４が組み付けられる。この支持金具４の両端に設けられた支柱受け部５に、天蓋の左右の支柱６が差し込まれて固定される。支柱受け部５には、支柱６のストッパーを兼ねた、防水布７の下端部８を固定するためのフック９が設けられる。また、支持金具４には、車椅子のフレームに合わせて取り付け幅を調整できるように、長穴を設けることができる。
【０００９】
左右の支柱６の上部には、左右の天蓋フレーム１０の後端部のブラケット１１を枢着するブラケット１２および、中央で互いに連結したＸリンク１３の上部を枢着するブラケット１４を設け、左右の天蓋フレーム１０の前部に、死点を超えてロックできる折れリンク１５を枢着するブラケット１６を設ける。また、左右の天蓋フレーム１０の中間部には、天蓋を支持する支持棒１７の上部を枢着するブラケット１８が設けられる。
【００１０】
左右の支柱６の下部には、上下に褶動する褶動部材１９がはめ込まれ、この褶動部材１９にＸリンク１３の下部を枢着するブラケット２０および、天蓋を支持する支持棒１７の下部を枢着するブラケット２１が設けられる。
【００１１】
左右の支柱６のブラケット１２に、天蓋フレーム１０のブラケット１１を枢着し、左右の支柱６のブラケット１４と、褶動部材１９との間を、Ｘリンク１３で連結し、褶動部材１９のブラケット２１と天蓋フレーム１０のブラケット１８の間を支持棒１７で連結し、折れリンク１５で左右の天蓋フレーム１０のブラケット１６同士を連結する。
【００１２】
防水布７は両側前端部を袋状にして、天蓋フレーム１０の前端部に引っ掛けて天蓋フレーム１０を覆うようにしてかぶせ、防水布全体に適当な張力を持たせるとともに、下端部８を支柱受け部５に設けたフック９に固定する。防水布７はまた、折り畳んだ時に天蓋フレーム１０から外れないように、要所を紐などで天蓋フレーム１０に縛ることができる。
【００１３】
【発明の効果】
上記のように構成することにより、脱着が簡単で、取り外して折り畳む時は１本の棒状にコンパクトに折り畳むことができ、しかもほとんどの車椅子に適合して取り付けることができる、雨避けあるいは日除けの機能を備えた、簡単な構造で安全、快適な天蓋付き車椅子を安価に提供することができる。
また必要に応じて、防水布に透明のフイルムを併用すれば、かなりの風雨に際しても車椅子を十分使用できる効果がある。
【図面の簡単な説明】
【図１】天蓋付き車椅子の使用状態における斜視図である。
【図２】天蓋付き車椅子の折り畳み状態における斜視図である。
【符号の説明】
（１）  車椅子
（２）  車椅子の背当てフレーム
（３）  取付け金具
（４）  支持金具
（５）  支柱受け部
（６）  支柱
（７）  防水布
（８）  防水布の下端部
（９）  防水布の固定フック
（１０）  天蓋フレーム
（１１）  天蓋フレーム後端部のブラケット
（１２）  支柱の天蓋フレームを枢着するブラケット
（１３）  Ｘリンク
（１４）  Ｘリンクの上部を枢着するブラケット
（１５）  折れリンク
（１６）  折れリンクを枢着するブラケット
（１７）  天蓋を支持する支持棒
（１８）  支持棒の上部を枢着するブラケット
（１９）  褶動部材
（２０）  Ｘリンクの下部を枢着するブラケット
（２１）  支持棒の下部を枢着するブラケット
【図１】
2005000615.tif 000003
【図２】
2005000615.tif 000004
(57)【要約】【課題】授乳液（ミルク等）の注入部が外びんと内びんから成る真空二重びんで形成され、授乳液の温度低下を少なくし、内部に温度計および定量目盛りを付設した、保温ほ乳容器を提供するものである。【解決手段】授乳液の注入部が外びん（１）と内びん（２）で形成され、真空にすることにより授乳液の外部への放熱を防止し、注入部内に温度計（３）および定量目盛り（４）を付設することにより、授乳液の温度および用量を外部より視認できることができる。【選択図】      図１
2005000626.tif 000002
【特許請求の範囲】
【請求項１】
授乳液（ミルク等）の注入部が、外びんと内びんから成る真空二重びんで形成され、長時間その内部の授乳液（ミルク等）の温度低下を防止するほ乳容器。
【請求項２】
授乳液と接するほ乳容器内部に温度計を付設し、内部の授乳液温度を視認できるように形成されていることを特徴とするほ乳用容器。
【発明の詳細な説明】
【０００１】
【発明の属する技術分野】本発明は、乳児または哺乳動物に、授乳のために用いる容器にあって、授乳中に内部の授乳液の温度低下を軽減し、内部の授乳液の温度を外部から視認できるほ乳容器に関するものである。
【０００２】
【従来の技術】従来のほ乳容器（ほ乳びん）は、乳児用にはプラスチックやガラス製のびんにゴム製の乳首をかぶせたもの、哺乳動物にはプラスチックや鉄製の容器に吸い口をつけたものが一般につかわれている。
【０００３】
授乳の初めには、適温で授乳するが外気温の温度差により、時間の経過とともにほ乳容器内の授乳液の温度が低下するため、乳児または授乳期の動物に受け入れられず、再加熱して与えなくてはならない。
【０００４】
授乳液の温度は、ほ乳容器に手で触れる方法またはほ乳容器の乳首より滴下させて、体感で判断し授乳するという不安定な方法で授乳することが一般におこなわれている。
【発明が解決しようとする課題】適温で授乳をしても長時間の授乳や外気の低い冬期等では、ほ乳容器内にあるミルク等の授乳液の温度が低下し、乳幼児や授乳期の動物の授乳が困難になる。再度適温にするため、授乳を中断し再加熱をして温度を上げて授乳をしている。本発明の保温効果により授乳液の温度低下を軽減することができ、長時間の授乳を可能とすることができる。
【０００５】
また、授乳をおこなう時に、授乳液の温度の判断を容器に手を触れた体感での温度判断や授乳液を乳首より滴下させ体感で温度判断する不安定な方法で授乳をおこなっている。本発明の容器の内部に温度計を付設することにより適温を正確に計測し授乳を行うことができる。
【０００６】
【課題を解決するための手段】保温ほ乳容器の授乳液を投入する内部は、魔法瓶の構造とおなじ二重構造になった外びんと内びんからなり、そのなかを真空として、適温にした授乳液の放熱を少なくすることにより、保温され、長時間の授乳を可能とすることができる。
【０００７】
また本発明は、容器内部の授乳液に接する部位に温度計を付設し、投入された授乳液の温度を計測することができる保温ほ乳容器を提供するものである。
【０００８】
【発明の実施の形態】ほ乳期の、乳児および哺乳動物において、吸引時のミルクや飲料溶液等の授乳液の温度は、授乳の良否に影響を及ぼし、最適温度を確保することが必要となる。本発明は、授乳液の注入部分が外びん（１）と内びん（２）からなり、内部が真空であるため授乳液の放熱を少なくし、長時間の適温状態を維持することを考慮した発明である。
【０００９】
また、注入された内部の授乳液の温度が保温ほ乳容器の外部から視認できるように容器外部を透視できる構造とし、内びん（２）の授乳液と接する部位に耐熱プラスチックまたはほうけい酸ガラス等で煮沸消毒に耐える構造をもった温度計（３）を付設して常に授乳液の温度を認識できる形態とした発明である。容器内部の授乳液は、定量目盛り（４）で視認できる。
【００１０】
【発明の効果】本発明により、授乳の授乳液の温度低下を少なくし、最適温度を延ばすことができる。
【００１１】
本発明により、容器内部の授乳液温度が目視で観察することが出来、正確な温度で授乳することができる。
【図面の簡単な説明】
【図１】本発明の一実施例の一部内部構造を示した斜視図である。外びん（１）と内びん（２）の中は真空となりほ乳容器の投入部を覆っている。できるだけ外部へ放熱をさけるため、乳首（５）にいたる出口は狭く、外周は開閉可能なキャップ（６）が付設されている。ほ乳容器外周から視認できるように温度計（３）と定量目盛り（４）がほ乳容器内部にそれぞれ付設され授乳液の温度および用量を把握することを可能とした、保温ほ乳容器である。
【符号の説明】
１      外びん
２      内びん
３      温度計
４      定量目盛り
５      乳首
６      キャップ
【図１】
2005000626.tif 000003
(57)【要約】【課題】尿路を構成する器官に病気がなくても老人痴呆や神経系のちょっとした狂いから失禁に悩んでいる人は多い。健常な人ならば相当量の尿が膀胱に溜まり、脳から排便の指示があってはじめて尿道へ尿が流れ込むのに、脳からの指示なしに無秩序に排尿する、いわゆる失禁を、日常生活中や睡眠中できるだけ予防して快適に過ごせる時間の提供を目指す。また、介助者なしでは正常な排尿が出来ず、頻繁に失禁している人にこの失禁予防パンツを穿かせ、適切な時間間隔で排尿を手助けすれば、失禁回数は減少し、清潔さが向上するだけでなく、介助者の労力も著しく減少する。【解決手段】弾力性ある素材で皮膚に密着するように作られたパンツ（１）の内側の膀胱下部に当たる位置にパット（２）を装着して、パット（２）が膀胱から尿道へ通じる部分を適当な強さで押さえることによって、尿が膀胱から無秩序に尿道へ排出されるのを抑制して、失禁を予防する。【特許請求の範囲】
【請求項１】
皮膚に密着するように作られたパンツ（１）の内側の膀胱下部に当たる位置に、パット（２）を装着した失禁予防パンツ。
【発明の詳細な説明】
【０００１】
【発明の属する技術分野】
本発明は、弾力ある素材で皮膚に密着するように作られたパンツ（１）の内側の膀胱下部に当たる位置にパット（２）を装着して、パット（２）が膀胱から尿道へ通じる部分を適当な強さで抑えることによって、尿が膀胱から尿道へ無秩序に排出されるのを抑制して、失禁を予防する失禁予防パンツである。
【０００２】
【従来の技術】
本発明はまったく新しい発明である。
現在、失禁パンツという名称で普及されているパンツは、尿が無秩序に排出されるのを抑制し、失禁を予防しようとするでのはなく、誤って排出された尿を吸い取ったり、尿の臭いを防止する為などのいろいろな対策を講じているパンツであって、本発明ように失禁を予防する目的のパンツとは全く異なる。
【０００３】
【発明が解決しようとする課題】
尿路を構成する器官に病気がなくてもちょっとした体調の狂いから失禁で悩んでいる人は多い。本発明の失禁予防パンツの使用により、無秩序な排尿を抑制して失禁を予防することにより、平素は社会人として生活していながら失禁によって苦しんでいる人達の悩みを少しでも軽くしようとするものである。
また、不幸にして介助者なしには排尿できない人達の無秩序な排尿を防ぎ、計画的な介助による秩序ある排尿生活を可能にしようとするものである。
【０００４】
【課題を解決するための手段】
パンツ（１）を弾力ある素材で皮膚に密着するように作り、パンツ（１）の内側の膀胱下部にあたる位置にパット（２）を装着してパットが膀胱下部と内尿道口を適当な強さで抑え、尿が無秩序に尿道へ流れ込むのを抑制する構造にする。
【０００５】
【発明の実施の形態】
上記の目的を達成するために、パンツ（１）を弾力ある素材で皮膚に密着するように作り、そのパンツの内側の膀胱下部と内尿道口に当たる位置にパット（２）を装着する。パット（２）は膀胱下部と内尿道口を十分に覆う広さと、適当な強さで押さえる弾力のある素材を用いる。
【０００６】
【発明の効果】
この失禁予防パンツを穿いていれば、健常に近い人にとっては、日常生活中の失禁が減少するので、気持ちが仕事に集中でき、人々との歓談にも不安なく溶け込むことが出来る。睡眠中はパットの抑制により殆ど失禁が起こらないので安眠が得られるようになる。
また、介助者なしでは正常な排尿が出来ず、頻繁に失禁している人にこの失禁予防パンツを穿かせ、適切な時間間隔で排尿を手助けすれば、失禁回数は減少し、清潔さが向上するだけでなく、介助者の労力も著しく減少する。
【図面の簡単な説明】
本発明の斜視図である。
【符号の説明】
１，パンツ
２，パット
2005000624.tif 000002
(57)【要約】【課題】１個の物品で、洗顔の全工程を可能としまた水だけの洗顔もでき、かつ皮膚の活性化をも促す洗顔パフ。【解決手段】洗顔パフの表装材として、金糸入り絹繊維入り布と、フリース素材布を用いて、袋体を形成し、この中に発泡体スポンジを挿置する。【選択図】  図１
2005000597.tif 000002
【特許請求の範囲】
【請求項１】
発泡体を収納する、表面用表装材として、金糸入り絹繊維から成る布と、裏面用表層材としてフリース生地を、用いたことを特徴とする６通りの用途を充たす泡立て洗顔パフ。
【発明の詳細な説明】
【０００１】
【発明の属する技術分野】
本発明は、洗顔パフに、金糸入り絹繊維布地、発泡体、フリース布地を用いた泡立て洗顔パフに関するものである。
【０００２】
【従来の技術】
従来の洗顔パフにおいては、顔面の汚れを、擦り取るだけのもので１個の物品で、泡立て、洗顔、マッサージ、パッティング、すすぎ、またフリース素材面の、過剰な皮脂を洗い落とす特徴を生かした、水だけ洗顔と６通りの用途に適するものはなかった。
【０００３】
【発明が解決しようとする課題】
従来の洗顔パフは、顔面の汚れを擦り取るためのものであったため、すすぎを素手で行う際、水はねがひどくすすぎ残しが出やすいという問題点があった。本発明は１つの物品で、洗顔の全工程を可能とすることにより、前述の問題点を解決し、且つ表層材の構造の特徴に着目し洗浄効果および、皮膚の活性化が期待される洗顔パフを提供するものである。
【０００４】
【課題を解決するための手段】
本発明の洗顔パフは、ウレタンスポンジと、片面には金糸入り絹繊維からなる布地、半片面にフリース生地からなる布地を用いて、問題点を解決している。
【０００５】
【発明の実施の形態】
洗顔パフの片面に金糸入り絹繊維布地と、半片面にフリース布地を用いたカバーの間に、ウレタンスポンジを挿置した。スポンジが泡立てを容易にし、絹繊維布地またはフリース布地面にて、洗顔、マッサージ、すすぎ、パッティングを行う。またフリース素材面の過剰な皮脂を落とす特徴を生かし、水だけ洗顔が行える。
【０００６】
【実施例】
以下添付図面に従って実施例を説明する。図１の洗顔パフは表面用表装材１と、裏面用表層材２が縫い合わせられて、袋体を形成し、この中にウレタンスポンジが収納されている。
【０００７】
表面表装材１は金糸入り絹繊維布からなり、裏面表装材２はフリース素材からなるこの中にウレタンスポンジ３が収納されている。
【０００８】
使用に際しては、洗顔パフ表面に洗顔料をのせ、手でもみながら泡立て、あらかじめ濡らしておいた顔面にパフをあて、静かに汚れを落とすようにマッサージをしたあと、洗顔パフを水ですすぐ。次に洗顔料を洗い落とし水を含ませたパフを顔に当て、パッティングを行う。この動作を何度か繰り返し顔面の洗顔料を落とす。また水だけで洗顔する場合は泡立てを省いた以下の動作を行う。
【０００９】
【発明の効果】
上述のように、本発明の泡立て洗顔パフは金糸入り絹繊維が、皮膚の溝や毛穴の汚れを洗い落とし、フリース素材が水だけでも、過剰な皮脂を洗い落とす。また内装のスポンジが空気を含むことにより、泡立てが容易となり、洗顔、マッサージができ、また内装のスポンジに水を含ませることにより、パッティング、すすぎが可能となり６通りの用途を充たすことが出来る。しかも素手ですすぐ時よりも水はねがしにくくなる。
【図面の簡単な説明】
【図１】本発明の実施例を示した正面図である。
【図２】本発明の実施例を示した断面図である。
【符号の説明】
１  金糸入り絹繊維表装材
２  フリース素材表装材
３  ウレタンスポンジ
【図１】
2005000597.tif 000003
【図２】
2005000597.tif 000004
(57)【要約】      （修正有）【課題】ショルダーベルト付きカバンのショルダーベルトは長い物が多く不使用時は邪魔になる。そのため不使用時はショルダーベルトをカバンの両端のケースに引き込み弛みの生じない収納式ショルダーベルトを提供する。【解決手段】ショルダーベルト４の両端にスプリング６を付けカバンの両端にケース１，２を儲けその中にスプリング部を取り付ける。ショルダーベルトを使用する時は引き伸ばして使い、使用しない時はケース内へスプリングで引き込まれる。そのため弛みが生じず邪魔にならないことを特徴とする。【選択図】  図２
2005000599.tif 000002
【特許請求の範囲】
【請求項１】
ショルダーベルト（４）の両端にスプリング（６）をストッパー（５）で接続する。両端のスプリング（６）とストッパー（５）をケース（１）と（２）にそれぞれ収め、そのスプリング（６）の端をケース（１）と（２）の底に固定する。ショルダーベルト（４）を引っ張るとケース（１）と（２）より伸びて使用することが出来る。離すとケース（１）と（２）内に引き込まれ弛まない。
【請求項２】
ケース（１）と（２）はカバンの両サイドに、カバンを真上から見て対角線上にずらして取り付ける。
【発明の詳細な説明】
【０００１】
【発明の属する技術分野】
この発明はカバンのショルダーベルトが不使用時に自動的にカバン内に引き込まれ弛まないようにしたショルダーカバンに属するものである。
【０００２】
【従来の技術】
ショルダーベルト付きカバンのショルダーベルトは長い物が多く、不使用時における容易な取り外しや収納は考えられていない。
【０００３】
【発明が解決しようとする課題】
カバンのショルダーベルトは長いため不使用時は邪魔になる。特に床に置くカバン等の場合は床の上に落ち邪魔になり、また汚れて衛生上も良くない。
【０００４】
【課題を解決するための手段】
ショルダーベルトを使用しない時は邪魔にならないようカバンの両端のケース内にスプリングで引き込み、弛みが生じない機構を設ける。
【０００５】
【発明の実施の形態】
以下、本発明の実施の形態について説明する。
ショルダーベルト（４）の両端にスプリング（６）をストッパー（５）で接続し、それぞれをケース（１）と（２）に収納する。それぞれのスプリング（６）の端は金具（７）でケース（１）と（２）の底に固定する。
ケース（１）と（２）はカバンの両サイドに、カバンの真上から見て対角線上にずらして取り付ける。
ショルダーベルト（４）を引き出すとスプリング（６）が伸び、ストッパー（５）がケース上部の出口に当る。ストッパー（５）はショルダーベルト（４）の出る長さを決め、またカバンの重量を支える。ショルダーベルト（４）を離すとスプリング（６）によりケース（１）と（２）に引き込まれる。
肩当てパット（３）は取手の邪魔になるため一方の端に寄るようにスプリング（６）の長さとストッパー（５）の位置で調整する。さらにケース（１）と（２）をカバンの両サイドに、カバンを真上から見て対角線上にずらして取り付ける。
【０００６】
【発明の効果】
ショルダーベルトを使用する時は引き伸ばして使う。不使用時はスプリングによりケースに引き込まれ弛みが生じない。そのためカバンを置いておく時や取っ手で持つ時あるいは抱える時などショルダーベルトが邪魔にならない。
【図面の簡単な説明】
【図１】本発明の斜視図である。カバンの外観とケースの取り付け状態を示す。
【図２】本発明の分解図である。左側のケース（１）は内部を現したもの
【図１】
2005000599.tif 000003
【図２】
2005000599.tif 000004
(57)【要約】【課題】本発明は便器の掃除用具であって、特に汚物が付着する場所を直接手で触れる事なく掃除ができることを目的とし、洗浄部を使い捨てができる便器掃除用具を提供する。【解決手段】外方向に開くバネ式からなる２本の支軸（１）（１）の後方に握り柄（２）を設け、支軸（１）（１）の先端外側に突起状の滑り止め（３）（３）を設け、支軸（１）（１）の軸請けの上部に突起（４）（４）に設け、更に下部に突起（５）（５）を設け、支軸（１）（１）を貫通させて上下に可動する環体（６）を設け、使い捨て式スポンジ材叉は、不織布などからなる上辺を開口部（８）とする袋状の洗浄袋（７）を着脱自在に装着することを特徴とする。【選択図】  図２
2005000595.tif 000002
【特許請求の範囲】
【請求項１】
外方向に開くバネ式からなる２本の支軸（１）（１）の先端外側に突起状の滑り止め（３）（３）を設け、支軸（１）（１）の上部に突起（４）（４）を設け、更に下部に突起（５）（５）を設けて使い捨て式スポンジ材叉は、不織布などからなる上辺を開口部（８）とする使い捨てのできる袋状の洗浄袋（７）を着脱自在に設け、支軸（１）（１）を貫通させて上下に可動する環体（６）を設ける。
以上よりなる使い捨て便所掃除用具である。
【発明の詳細な説明】
【０００１】
【発明の属する技術分野】
この発明は、便器の掃除用具であって特に汚物が付着する場所を直接手で触れる事なく掃除ができる使い捨て掃除用具に関するものである。
【０００２】
【従来の技術】
従来、便器を掃除する時には、柄の付いたブラシやスポンジ、ペーパークリーナーなどで汚れを拭いて落としていた。
【０００３】
【発明が解決しようとする課題】
そのため次のような問題点があった。
（イ）柄の付いたブラシを使用したときは、汚れを落としたあとブラシに付着している汚物を洗浄しないままケースに片付けるためブラシ、ケースが非衛生的である。
（ロ）スポンジやブラシは、掃除後汚水を含んだままケースに保管するため非衛生的である。
（ハ）ペーパークリーナーで掃除する事で便器に手が触れないよう必要以上の量でのペーパークリーナーを使用するため非経済的である。
本発明は、以上の問題点を解決するためになされたものである。
【０００４】
【課題を解決するための手段】
外方向に開くバネ式からなる２本の支軸（１）（１）の後方に握り柄（２）を設け、支軸（１）（１）の先端外側に突起状の滑り止め（３）（３）を設ける。支軸（１）（１）の上部に突起（４）（４）を設け、下部に突起（５）（５）を設ける。使い捨て式スポンジ材叉は、不織布などからなる上辺を開口部（８）とする袋状の洗浄袋（７）を着脱自在に設ける。そして、支軸（１）（１）を貫通させて上下に可動する環体（６）を設ける。
本発明は、以上の構成よりなる使い捨て便器掃除用具である。
【０００５】
【発明の実施の形態】
以下、本発明の実施の形態を説明する。
（イ）外方向に開くバネ式からなる２本の支軸（１）（１）は、棒状の支軸（１）（１）の後方に握り柄（２）を設け、支軸（１）（１）の先方外側に突起状の滑り止め（３）（３）を設ける。
（ロ）支軸（１）（１）の上部に突起（４）（４）と下部に突起（５）（５）を設ける。
（ハ）使い捨て式スポンジ材又は、不織布などからなる袋状の洗浄袋（７）は、上部に開口部（８）を設ける。
（ニ）支軸（１）（１）の先端を洗浄袋（７）の開口部（８）に差し込むことにより、支軸（１）（１）に着脱自在に設ける。
（ニ）支軸（１）（１）を貫通させて上下に可動できる環体（６）を設ける。
（ホ）環体（６）は、支軸（１）（１）を上下に可動し下部の突起（５）（５）又は上部の突起（４）（４）に掛ける。
本発明を使用する時は、支軸（１）（１）に貫通している環体（６）を支軸（１）（１）に設けてある突起（５）（５）まで押し下げて環体（６）を突起（５）（５）に掛ける事により支軸（１）（１）が閉じ、支軸（１）（１）の先端に洗浄袋（７）を開口部（８）より装着することが可能になる。続いて環体（６）を突起（４）（４）まで引き上げて環体（６）を突起（４）（４）に掛ける事により支軸（１）（１）が開き、滑り止め（３）（３）が洗浄袋（７）の内側に掛かり固定される。したがって、洗浄袋（７）で汚物を掃除できて汚物に手を触れることがない。なお、環体（６）を突起（５）（５）まで引き下げることによって容易に洗浄袋（７）を取り外し捨てることができる。
【０００６】
【発明の効果】
本発明を使用することによって、便器などの汚物が付着しているところを直接手で触れることなく掃除ができ掃除後洗浄袋を捨てる事により汚物の付着したブラシをケースに入れることもなく衛生面においても向上する。
【図面の簡単な説明】
【図１】本発明の斜視図
【図２】本発明の分解斜視図
【図３】本発明の使用状態を示す斜視図
【図４】本発明の分解断面図
【符号の説明】
１  支軸
２  握り柄
３  滑り止め
４  突起
５  突起
６  環体
７  洗浄袋
８  開口部
【図１】
2005000595.tif 000003
【図２】
2005000595.tif 000004
【図３】
2005000595.tif 000005
【図４】
2005000595.tif 000006